(57)【要約】【課題】ＯＮＵが、ＯＬＴによって割当てられたＬＬＩＤに対するユーザ端末の数の上限値を越えた数のユーザ端末を収容した場合でも、帯域をユーザに公平に割り当てることができる帯域制御方法を得ること。【解決手段】ＯＬＴが、自装置に接続する複数のＯＮＵに割当てたＬＬＩＤ毎に帯域を割当てる際に、予め定められたＯＮＵ２に収容するユーザ端末の最大収容数分の帯域を上限として、ＯＮＵに収容されているユーザ端末の数に応じた帯域を各ＯＮＵに割当て、ＯＮＵは、ＯＬＴに割当てられた帯域を自装置が収容するユーザ端末の数で分割して各ユーザ端末６に割当てる。【選択図】        図６
2006020240.tif 000002
【特許請求の範囲】
【請求項１】
複数のユーザ端末を収容する複数の宅内終端装置と、これら宅内終端装置毎の帯域を管理する加入者収容装置とを有する通信システムの前記複数のユーザ端末に対する帯域制御方法であって、
前記ユーザ端末は、
前記宅内終端装置に自端末を識別するための端末識別情報を含む登録情報を前記宅内終端装置に送信し、
前記宅内終端装置は、
前記登録情報に含まれる端末識別情報によって自装置が収容する前記複数のユーザ端末を管理し、自装置が管理するユーザ端末の数および前記端末識別情報を含む登録数変更要求を前記加入者収容装置に送信し、前記加入者収容装置から割当てられた帯域を自装置が管理するユーザ端末の数に分割して各ユーザ端末に割当て、
前記加入者収容装置は、
前記登録数変更要求によって通知されたユーザ端末の数および前記端末識別情報に基づいて自装置に接続される前記複数の宅内終端装置と、これら宅内終端装置が収容するユーザ端末とを管理し、前記複数の宅内終端装置毎に予め定められたユーザ端末の最大収容数分の帯域を上限として、前記宅内終端装置に収容されているユーザ端末の数に応じた帯域を前記複数の宅内終端装置に割当てること、
を特徴とする帯域制御方法。
【請求項２】
前記加入者収容装置は、
予め定められている最大帯域容量または最低帯域容量に基づいて前記宅内終端装置が収容するユーザ端末の数に応じた帯域を前記複数の宅内終端装置に割当てること、
を特徴とする請求項１に記載の帯域制御方法。
【請求項３】
前記通信システムとしてＩＥＥＥ８０２．３ａｈ標準準拠または準ずるイーサネット（登録商標）−ＰＯＮシステムを用いることを特徴とする請求項１または２に記載の帯域制御方法。
【請求項４】
加入者収容装置から割当てられた帯域を自装置が収容する複数のユーザ端末に割当てる宅内終端装置において、
前記複数のユーザ端末から送信される登録情報に含まれるユーザ端末を識別するための端末識別情報を用いて前記複数のユーザ端末を管理する認証情報管理部と、
この認証情報管理部によって管理されるユーザ端末の数および前記端末識別情報を含む登録数変更要求を前記加入者収容装置に送信するＭＰＤＰ制御部と、
前記加入者収容装置から割当てられた帯域を前記認証情報管理部によって管理されるユーザ端末の数に分割して前記複数のユーザ端末に割当てる上り帯域制御部と、
を備えることを特徴とする宅内終端装置。
【請求項５】
複数のユーザ端末を収容する宅内終端装置毎に帯域を割当てる加入者収容装置において、
前記複数のユーザ端末の数および前記複数のユーザ端末を識別するための端末識別情報を含む登録数変更要求に基づいて、自装置に接続される前記複数の宅内終端装置と、これら宅内終端装置が収容するユーザ端末とを管理する認証サーバと、
前記複数の宅内終端装置毎に予め定められたユーザ端末の最大収容数分の帯域を上限として、前記認証サーバによって管理されるユーザ端末の数に応じた帯域を前記複数の宅内終端装置に割当てる上り帯域制御部と、
この上り帯域制御部によって割当てられた帯域の情報を前記複数の宅内終端装置に送信するとともに、前記登録数変更要求を前記複数の宅内終端装置から受信するＭＰＣＰ制御部と、
を備えることを特徴とする加入者収容装置。
【請求項６】
前記上り帯域制御部は、
予め定められている最大帯域容量または最低帯域容量に基づいて前記宅内終端装置に収容されているユーザ端末の数に応じた帯域を前記複数の宅内終端装置に割当てること、
を特徴とする請求項５に記載の加入者収容装置。
【請求項７】
加入者収容装置に接続される宅内終端装置に収容されるユーザ端末において、
自端末を識別するための端末識別情報を含む登録情報を前記宅内終端装置に送信する認証情報通知部、
を備えることを特徴とするユーザ端末。
【発明の詳細な説明】
【技術分野】
【０００１】
本発明は、光通信システムの帯域制御に関するものであり、特に、ＰＯＮ（Passive Optical Network）システムにおいて各ユーザ端末に割当てる帯域を制御する帯域制御方法に関するものである。
【背景技術】
【０００２】
Ｇｉｇａｂｉｔ  Ｅｔｈｅｒｎｅｔ（登録商標）−ＰＯＮシステム（以下、ＧＥ−ＰＯＮシステムとする）は、特にＩＥＥＥ（Institute of Electrical and Electronics Engineers)８０２．３の標準化活動により制定されつつある。ＧＥ−ＰＯＮシステムは、局側に設置する加入者収容装置（ＯＬＴ：Optical Line Termination）に対して複数の宅内終端装置（ＯＮＵ：Optical Network Unit）を、光カプラと光ファイバとを用いて１対多で接続する光受動型ネットワークである。ＯＬＴとＯＮＵとの間の主データはイーサネット（登録商標）フレーム（以下、レイヤ２フレームとする）が用いられ、ＩＥＥＥ８０２．３ａｈ定められるＭＰＣＰ（Multi-Point MAC Control Protocol）によって帯域制御などが管理される。
【０００３】
ＩＥＥＥ８０２．３ａｈでは、ＯＮＵに対して割り当てたＬＬＩＤ（Logical Link ID）毎に帯域制御を行い、ＯＮＵに対して契約しているユーザの帯域制御をＯＴＬで管理し、ＯＬＴがＯＮＵにレポート要求を行ったときに、ＯＮＵはＯＬＴに対してＬＬＩＤ毎に上り帯域を要求する。ＯＬＴは、自装置が管理する各ＯＮＵからの上り帯域の要求にしたがって全てのＯＮＵの上り帯域を管理して上りのデータのタイミングを制御する。
【０００４】
【非特許文献１】ＩＥＥＥ８０２．３ａｈ
【発明の開示】
【発明が解決しようとする課題】
【０００５】
しかしながら、上記従来技術の帯域制御は、ＯＬＴがＯＮＵに割当てたＬＬＩＤ毎に上り帯域を要求するようにしているので、ＬＬＩＤ以上の帯域管理が行えないという問題があった。すなわち、ＯＮＵに多数のユーザを収容した場合、ＬＬＩＤの割り当て数までしかユーザの帯域を管理することができないという問題があった。
【０００６】
この発明は上記に鑑みてなされたもので、ＯＮＵが、ＯＬＴによって割当てられたＬＬＩＤに対するユーザ端末の数の上限値を越えた数のユーザ端末を収容した場合でも、帯域をユーザに公平に割り当てることができる帯域制御方法を得ることを目的とする。
【課題を解決するための手段】
【０００７】
上述した課題を解決し、目的を達成するために、本発明にかかる帯域制御方法は、複数のユーザ端末を収容する複数の宅内終端装置と、これら宅内終端装置毎の帯域を管理する加入者収容装置とを有する通信システムの前記複数のユーザ端末に対する帯域制御方法であって、前記ユーザ端末は、前記宅内終端装置に自端末を識別するための端末識別情報を含む登録情報を前記宅内終端装置に送信し、前記宅内終端装置は、前記登録情報に含まれる端末識別情報によって自装置が収容する前記複数のユーザ端末を管理し、自装置が管理するユーザ端末の数および前記端末識別情報を含む登録数変更要求を前記加入者収容装置に送信し、前記加入者収容装置から割当てられた帯域を自装置が管理するユーザ端末の数に分割して各ユーザ端末に割当て、前記加入者収容装置は、前記登録数変更要求によって通知されたユーザ端末の数および前記端末識別情報に基づいて自装置に接続される前記複数の宅内終端装置と、これら宅内終端装置が収容するユーザ端末とを管理し、前記複数の宅内終端装置毎に予め定められたユーザ端末の最大収容数分の帯域を上限として、前記宅内終端装置に収容されているユーザ端末の数に応じた帯域を前記複数の宅内終端装置に割当てること、を特徴とする。
【発明の効果】
【０００８】
この発明にかかる帯域制御方法によれば、加入者収容装置が、自装置に接続する複数の宅内終端装置毎に帯域を割当てる際に、予め定められた宅内終端装置に収容するユーザ端末の最大収容数分の帯域を上限として、宅内終端装置に収容されているユーザ端末の数に応じた帯域を各宅内終端装置に割当て、宅内終端装置は、加入者収容装置に割当てられた帯域を自装置が収容するユーザ端末の数で分割して各ユーザ端末に割当てるようにしているので、宅内終端装置が収容するユーザ端末の数が最大収容数を越えた場合でも、加入者収容装置が宅内終端装置に割当てる帯域を変更することなく、宅内終端装置が収容するユーザ端末に対して公平に帯域を割当てることができる。
【発明を実施するための最良の形態】
【０００９】
以下に、この発明にかかる帯域制御方法の実施の形態を図面に基づいて詳細に説明する。なお、この実施の形態によりこの発明が限定されるものではない。
【００１０】
図１〜図７を用いてこの発明の実施の形態を説明する。図１は、この発明にかかる本実施の形態の帯域制御方法が適用されるＧＥ−ＰＯＮによる通信システムの構成を示す図である。図１に示した通信システムは、無線ＬＡＮ（Local Area Network）やハブなどで構成される端末終端装置５を介して複数（この場合は３台）のユーザ端末６を収容する宅内終端装置（以下、ＯＮＵとする）２と、局側に設置される加入者収容装置（以下、ＯＬＴとする）１とが光伝送路（光ファイバ３およびスターカプラなどの光受動素子４）によって接続されている。この通信システムが扱うフレーム（ユーザ端末６が送受信するユーザフレーム、およびＯＬＴ１とＯＮＵ２との間の制御フレーム）は、イーサネット（登録商標）フレームであるレイヤ２フレームである。
【００１１】
ＯＬＴ１は、帯域制御などを行うメッセージプロトコルであるＭＰＣＰ処理を行うＭＰＣＰ制御部１１と、自装置に接続されているＯＮＵ２の登録情報や認証情報などを管理する認証サーバ１２と、ＯＮＵ２に割り当てたＬＬＩＤ毎に上り帯域（ＯＮＵ２からＯＬＴ１への通信帯域）を管理する上り帯域制御部１３と、登録または認証が完了したユーザ端末６からのユーザフレームのみを出力するパケットフィルタ１４と、ＭＰＣＰ制御部１１がＯＮＵ２のＭＰＣＰ制御部２１と制御フレーム（ＭＰＣＰメッセージ）による通信を行っている時に受信したユーザパケットを一時保持するパケットバッファ１５と、光伝送のＰＯＮ区間の信号を制御するＰＤＳ（Passive Double Star）終端部１０とを備えている。
【００１２】
ＯＮＵ２は、上り光伝送の信号を制御するＰＤＳ終端部２０と、ＯＬＴ１から受信したＭＰＣＰメッセージの処理を行うＭＰＣＰ制御部２１と、ＯＬＴ１に登録認証されたユーザ端末６に対してＯＬＴ１によって割り当てられた帯域を公平に分割して割り当てる上り帯域制御部２２と、ユーザ端末６から受信した上りユーザフレームをバッファするパケットバッファ２３と、自装置に接続されているユーザ端末６の認証情報や、自装置の登録情報、自装置の認証情報などを管理する認証情報管理部２４と、認証されていないユーザ端末６へのユーザフレームや、自装置宛ではないユーザフレームを廃棄するパケットフィルタ２５と、認証情報管理部２４から入力される認証制御情報、およびパケットフィルタ２５を介してＭＰＣＰ制御部２１から入力される認証状態通知に基づいて、登録要求通知および登録可否通知を生成するデータ多重部２６とを備えている。
【００１３】
ユーザ端末６は、一般的な端末機能に加えて、自端末を識別するためのＩＤや識別情報など含む登録情報をＯＮＵ２に通知する認証情報通知制御部６０を備えている。
【００１４】
つぎに、図２〜図７を参照して、この発明にかかる帯域制御方法が適用される通信システムの動作を説明する。
【００１５】
まず、図２のシーケンス図を参照して、ユーザ端末６をＯＬＴ１に登録するユーザ登録認証処理の動作を説明する。ユーザ登録認証処理は、ＯＬＴ１のＭＰＣＰ制御部１１と、ＯＮＵ２のＭＰＣＰ制御部２１とが制御メッセージによる通信を行なって実行される。
【００１６】
ユーザ端末６の認証情報通知制御部６０は、ＩＤやＭＡＣアドレス、ＩＰアドレスなど自端末を識別するための端末識別情報を含む登録情報をＯＮＵ２に送信して、自端末の登録を要求する。
【００１７】
ＯＬＴ１のＭＰＣＰ制御部１１は、予め定められた周期毎にＯＮＵ２およびＯＮＵ２に接続されているユーザ端末６が登録されているか否かを確認するＧａｔｅメッセージをＯＮＵ２に送信する。図３は、ＯＬＴ１のＭＰＣＰ制御部１１が送信するＧａｔｅメッセージを示している。Ｇａｔｅメッセージは、ＩＥＥＥ８０２．３ａｈによって規定されるＧＡＴＥ  ＭＰＣＰＤＵフレームであり、宛先アドレス（Destination Address）、送信元アドレス（Source Address）、長さ／タイプ（Length/Type）、ＯＰコード（Opcode）、タイムスタンプ（Timestamp）、グランツ番号／フラグ（Number of grants/Flags）、グランツに対応する開始時間および長さ（Grant#1 Start Time,Grant#1 Length, Grant#2 Start Time,Grant#2 Length, Grant#3 Start Time,Grant#3 Length, Grant#4 Start Time,Grant#4 Length）、シンクタイム（Sync Time）、パッド／リザーブ（Pad/Reserved）、およびＦＣＳ（Frame Check Sequence）で構成される。
【００１８】
Ｇａｔｅメッセージを受信すると、ＯＮＵ２のＭＰＣＰ制御部２１は、登録数更新要求（Register Request）をＯＬＴ１に送信する。図４は、ＯＮＵ２のＭＰＣＰ制御部２１が送信する登録数更新要求の制御メッセージを示している。登録数更新要求の制御メッセージは、ＩＥＥＥ８０２．３ａｈによって規定されるＲＥＴＩＧＳＴＥＲ＿ＲＥＱ  ＭＰＣＰＤＵフレームであり、宛先アドレス（Destination Address）、送信元アドレス（Source Address）、長さ／タイプ（Length/Type）、ＯＰコード（Opcode）、タイムスタンプ（Timestamp）、フラグ（Flags）、ペンディング・グランツ（Pending grants）、パッド／リザーブ（Pad/Reserved）、およびＦＣＳ（Frame Check Sequence）で構成される。
【００１９】
ＯＮＵ２のＭＰＣＰ制御部２１は、図４に示した登録数更新要求の制御メッセージのパッド／リザーブにユーザ端末６の登録情報、および認証情報管理部２４によって管理されている登録認証済みのユーザ端末６の数を設定してＯＬＴ１に送信する。ＭＰＣＰ制御部２１は、周期的に受信するＧａｔｅメッセージの間にユーザ端末６から登録の要求を受けた場合には、登録数更新要求の制御メッセージのフラグに登録要求として受信した登録情報、および登録認証済みのユーザ端末６の数を設定し、登録の要求を受けていない場合には、登録認証済みのユーザ端末６の数のみをフラグに設定する。
【００２０】
ＯＮＵ２のＭＰＣＰ制御部２１は、ＯＴＬ１に対して登録数更新要求の制御メッセージを送信してユーザ端末６の登録要求を行ったことを認証情報管理部２４に通知する。認証情報管理部２４は、登録要求を行ったことを通知する認証制御情報をデータ多重部２６に通知する。データ多重部２６は、認証制御情報に基づいて登録要求通知を生成してユーザ端末６に送信する。これにより、ユーザ端末６の認証情報通知制御部６０は、自端末が送信した登録情報が受け付けられたことを認識する。
【００２１】
一方、登録数更新要求の制御メッセージを受信したＯＬＴ１のＭＰＣＰ制御部１１は、登録数更新要求の制御メッセージのフラグに設定されている登録情報に含まれる端末識別情報、登録認証済みのユーザ端末６の数、登録数更新要求の制御メッセージの送信元であるＯＮＵ２を識別するためのＬＬＩＤなどを含む登録数通知を認証サーバ１２に通知する。
【００２２】
ＯＬＴ１の認証サーバ１２は、登録数通知に基づいて登録を要求しているユーザ端末６を認証するか否かを決定する。具体的には、認証サーバ１２は、ＯＮＵ２に付与したＬＬＩＤに対応付けて、契約時に定められたＯＮＵ２に接続するユーザ端末６の最大収容数や１台のユーザ端末６に割当てる帯域容量(最大帯域容量、最低帯域容量など）、登録済みユーザ端末の数、ユーザ端末６の端末識別情報、認証・非認証などが登録される登録管理情報テーブルを記憶している。認証サーバ１２は、登録数通知に含まれるＬＬＩＤに対応する最大収容数と登録済みユーザ端末の数とを比較する。最大収容数が登録済みユーザ端末の数より小さい場合にはユーザ端末６を認証可能であるので、認証サーバ１２は、登録管理情報にユーザ端末６の識別情報を認証済みとして追加し、登録済みユーザ端末の台数を加算して、登録管理情報テーブルを更新する。最大収容数と登録済みユーザ端末の数とが等しい場合にはユーザ端末６を認証することはできないので、認証サーバ１２は、登録管理情報にユーザ端末６の識別情報を非認証として追加して登録管理情報テーブルを更新する。
【００２３】
認証サーバ１２は、登録数通知によって通知されたユーザ端末６を認証したか否か、すなわち、後述するＬＬＩＤに割り当てる帯域を決定する際の端末として登録した（登録認証した）か否かを示す情報を含む登録可否通知をＭＰＣＰ制御部１１に通知する。
【００２４】
ＯＬＴ１のＭＰＣＰ制御部１１は、登録可否通知の情報を含む登録可否情報（Register）の制御メッセージをＯＮＵ２に送信する。図５は、ＯＬＴ１のＭＰＣＰ制御部１１が送信する登録可否情報の制御メッセージを示している。登録可否情報の制御メッセージは、ＩＥＥＥ８０２．３ａｈによって規定されるフレームであるＲＥＧＩＳＴＥＲ  ＭＰＣＰＤＵフレームであり、宛先アドレス（Destination Address）、送信元アドレス（Source Address）、長さ／タイプ（Length/Type）、ＯＰコード（Opcode）、タイムスタンプ（Timestamp）、アサインポート（Assigned Port）、フラグ（Flags）、シンクタイム（Sync Time）、エコー・ペンディング・グランツ（Echoed Pending grants）、パッド／リザーブ（Pad/Reserved）、およびＦＣＳで構成される。
【００２５】
ＯＬＴ１のＭＰＣＰ制御部１１は、図５に示した登録可否情報の制御メッセージのフラグに登録認証したか否かを示す登録可否情報を設定してＯＮＵ２に送信する。
【００２６】
ＯＮＵ２のＭＰＣＰ制御部２１は、受信した登録可否情報の制御メッセージのフラグの登録可否情報を認証情報管理部２４に通知する。
【００２７】
認証情報管理部２４は、自装置に接続されているユーザ端末６の識別情報に対応付けてＯＬＴ１に登録認証されているか否かを示す登録認証情報テーブルを記憶している。認証情報管理部２４は、登録可否情報に基づいてユーザ端末６の識別情報に対応付けてユーザ端末６がＯＬＴ１に登録認証されたか否かの情報を追加して登録認証情報テーブルを更新する。
【００２８】
ＯＮＵ２のＭＰＣＰ制御部２１は、登録可否情報に基づいてユーザ端末６がＯＬＴ１に登録認証されたか否かを示す認証状態通知を生成して、パケットフィルタ２５を介してデータ多重部２６に出力する。データ多重部２６は、認証状態通知から登録可否通知を生成してユーザ端末６に送信する。これにより、ユーザ端末６は自端末がＯＬＴ１に登録認証されたか否かを認識する。
【００２９】
つぎに、ＯＬＴ１がＯＮＵ２に帯域を割り当てる帯域割当処理の動作を説明する。Ｇａｔｅメッセージを送信するタイミングになると、ＭＰＣＰ制御部１１は、ＯＮＵ２に割り当てる帯域を決定する帯域決定指示を上り帯域制御部１３に出力する。
【００３０】
ＯＬＴ１の上り帯域制御部１３は、認証サーバ１２の登録管理情報テーブルに登録されている帯域容量と登録済みユーザ端末６の数からＯＮＵ２に割り当てる帯域を算出する。ここでは、１台のユーザ端末６に割当てる帯域容量が登録されているので、ＯＮＵ２に割当てる割当帯域は、「登録済みユーザ端末の台数×１台のユーザ端末６に割当てる帯域容量」で算出することができる。登録認証処理で説明したように、登録済みユーザ端末の数は、最大でもＯＮＵ２が収容可能なユーザ端末６の最大収容数となっているので、ＯＮＵ２への割当帯域は、ＯＮＵ２に割り当て可能な帯域容量を越えることはない。上り帯域制御部１３は、算出した帯域をＭＰＣＰ制御部１１に通知する。
【００３１】
ＯＬＴ１のＭＰＣＰ制御部１１は、上り帯域制御部１３によって算出された割当帯域をＧａｔｅメッセージに含ませてＯＮＵ２に送信する。
【００３２】
ＯＮＵ２のＭＰＣＰ制御部２１は、Ｇａｔｅメッセージに含まれた割当帯域を上り帯域制御部２２に通知する。上り帯域制御部２２は、通知された割当帯域を記憶する。
【００３３】
つぎに、図６のフローチャートを参照して、ユーザ端末６から受信した上りユーザフレーム（レイヤ２フレーム）をＯＮＵ２がＯＬＴ１に送信する動作を説明する。パケットバッファ２３は、端末終端装置５を介してユーザ端末６からのパケットを受信して蓄積する。
【００３４】
認証情報管理部２４は、パケットバッファ２３に蓄積されたユーザフレームから端末識別情報を抽出する（ステップＳ１００）。認証情報管理部２４は、抽出した端末識別情報を検索キーとして登録情報テーブルを検索してパケットバッファ２３に蓄積されたユーザフレームがＯＬＴ１に登録済みのユーザ端末６からのユーザフレームであるか否かを判定してパケットバッファ２３に通知する（ステップＳ１１０）。認証情報管理部２４は、登録済みのユーザ端末６の台数を分割数として上り帯域制御部２２に通知する（ステップＳ１２０）。
【００３５】
パケットバッファ２３は、認証情報管理部２４から登録済みと判定されたユーザフレームを蓄積している場合には、送信すべきユーザフレームがあることを上り帯域制御部２２に通知する（ステップＳ１３０）。
【００３６】
上り帯域制御部２２は、ＯＬＴ１から割り当てられた帯域を認証情報管理部２４から通知された分割数で分割して自装置が管理するユーザ端末６それぞれに割り当てる帯域を決定する（ステップＳ１４０）。上り帯域制御部２２は、パケットバッファ２３に蓄積されている同一ユーザ端末６からのフレームを、決定した帯域に相当する分だけ読み出して、ＭＰＣＰ制御部２１、ＰＤＳ終端部２０を介して出力する（ステップＳ１５０）。
【００３７】
ＯＬＴ１のパケットフィルタ１４は、認証サーバ１２に登録または認証されたユーザ端末６からのユーザフレームのみを出力する。
【００３８】
つぎに、図７のフローチャートを参照して、ＯＬＴ１から受信したユーザ端末６へのユーザフレームをＯＮＵ２がユーザ端末６に送信する動作を説明する。ＯＬＴ１のパケットバッファ１５は、受信したユーザフレームが認証サーバ１２に登録されているユーザ端末６宛のユーザフレームであるか否かを判定し、登録されているユーザ端末６宛のユーザフレームのみをＭＰＣＰ制御部１１、ＰＤＳ終端部１０を介して送信する。
【００３９】
パケットフィルタ２５は、ＰＤＳ終端部２０、ＭＰＣＰ制御部２１を介して受信したユーザフレームを蓄積する（ステップＳ２００）。認証情報管理部２４は、パケットフィルタ２５に蓄積されたユーザフレームから端末識別情報を抽出する（ステップＳ２１０）。認証情報管理部２４は、抽出した端末識別情報を検索キーとして登録情報テーブルを検索してパケットフィルタ２５に蓄積されたユーザフレームがＯＬＴ１に登録済みのユーザ端末６宛のユーザフレームであるか否かを判定する（ステップＳ２２０）。
【００４０】
登録済みユーザ端末６宛のユーザフレームの場合、認証情報管理部２４は、送信許可通知をパケットフィルタ２５に出力する（ステップＳ２３０）。送信許可通知を受けると、パケットフィルタ２５は蓄積したユーザフレームをデータ多重部２６を介して送信する（ステップＳ２４０）。送信したユーザフレームは、端末終端装置５を介してユーザ端末６に到着する。
【００４１】
一方、登録済みユーザ端末６宛のユーザフレームではない場合、認証情報管理部２４は、廃棄通知をパケットフィルタ２５に出力する（ステップＳ２５０）。廃棄通知を受けると、パケットフィルタ２５は蓄積したユーザフレームを廃棄する（ステップＳ２６０）。
【００４２】
このようにこの実施の形態では、ＯＬＴ１が、自装置に接続する複数のＯＮＵ２に割当てたＬＬＩＤ毎に帯域を割当てる際に、予め定められたＯＮＵ２に収容するユーザ端末６の最大収容数分の帯域を上限として、ＯＮＵ２に収容されているユーザ端末６の数に応じた帯域を各ＯＮＵ２に割当て、ＯＮＵ２は、ＯＬＴ１に割当てられた帯域を自装置が収容するユーザ端末６の数で分割して各ユーザ端末６に割当てるようにしているので、ＯＮＵ２が収容するユーザ端末６の数が最大収容数を越えた場合でも、ＯＬＴ１がＬＬＩＤ毎に割当てる帯域を変更することなく、ＯＮＵ２が収容するユーザ端末６に対して公平に帯域を割当てることができ、個々のユーザ端末６に対して帯域保証を行なったサービスを提供することができる。
【産業上の利用可能性】
【００４３】
以上のように、この発明にかかる帯域制御方法は、イーサネット（登録商標）ＰＯＮシステムに有用であり、特に、宅内終端装置に最大収容数を越えた数のユーザ端末を接続した場合の帯域制御に適している。
【図面の簡単な説明】
【００４４】
【図１】この発明にかかる本実施の形態の帯域制御方法が適用されるＧＥ−ＰＯＮによる通信システムの構成を示す図である。
【図２】図１に示した通信システムの登録認証処理の動作を説明するためのシーケンス図である。
【図３】図１に示したＯＬＴが送信する制御メッセージの構成を示す図である。
【図４】図１に示したＯＮＵが送信する制御メッセージの構成を示す図である。
【図５】図１に示したＯＬＴが送信する制御メッセージの構成を示す図である。
【図６】図１に示した通信システムの動作を説明するためのフローチャートである。
【図７】図１に示した通信システムの動作を説明するためのフローチャートである。
【符号の説明】
【００４５】
１  ＯＬＴ
２  ＯＮＵ
３  光ファイバ
４  光受動素子
５  端末終端装置
６  ユーザ端末
１０，２０  ＰＤＳ終端部
１１，２１  ＭＰＣＰ制御部
１２  認証サーバ
１３，２２  上り帯域制御部
１４，２５  パケットフィルタ
１５，２３  パケットバッファ
２４  認証情報管理部
２６  データ多重部
６０  認証情報通知制御部
【図１】
2006020240.tif 000003
【図２】
2006020240.tif 000004
【図３】
2006020240.tif 000005
【図４】
2006020240.tif 000006
【図５】
2006020240.tif 000007
【図６】
2006020240.tif 000008
【図７】
2006020240.tif 000009